(57)【特許請求の範囲】
【請求項１】
湿潤燃料を貯留可能な貯留容器と、
前記貯留容器に貯留された前記湿潤燃料を加熱する加熱手段と、
前記貯留容器に貯留された前記湿潤燃料へ向けて、前記湿潤燃料と共に混入する非凝縮性ガスを除去するためのパージ媒体を供給し、供給した前記パージ媒体により前記湿潤燃料を流動させるパージ媒体供給手段と、
前記貯留容器に貯留された前記湿潤燃料が供給され、供給された前記湿潤燃料が流動化ガスにより流動することで、内部に流動層が形成される乾燥容器と、を備え、
前記パージ媒体および前記流動化ガスは、水蒸気であり、
前記貯留容器と前記乾燥容器とは、その内部が互いに連通するように接続され、
前記貯留容器には、前記乾燥容器から排出される水蒸気の少なくとも一部が流入することを特徴とする流動層乾燥装置。
【請求項２】
前記パージ媒体供給手段は、外周面から前記パージ媒体を噴出可能な複数のパージ管を有し、
前記湿潤燃料は、前記複数のパージ管の鉛直方向の上方側に貯留され、
前記複数のパージ管は、前記貯留容器内の一水平面に、管軸方向を互いに平行にして所定の間隔で並べて配置されると共に、前記複数のパージ管が並べられる方向の中央部には、前記所定の間隔よりも大きな空隙を設けることを特徴とする請求項１に記載の流動層乾燥装置。
【請求項３】
湿潤燃料を貯留可能な貯留容器と、
前記貯留容器に貯留された前記湿潤燃料を加熱する加熱手段と、
前記貯留容器に貯留された前記湿潤燃料へ向けて、前記湿潤燃料と共に混入する非凝縮性ガスを除去するためのパージ媒体を供給し、供給した前記パージ媒体により前記湿潤燃料を流動させるパージ媒体供給手段と、
前記貯留容器に貯留された前記湿潤燃料が供給され、供給された前記湿潤燃料が流動化ガスにより流動することで、内部に流動層が形成される乾燥容器と、を備え、
前記パージ媒体供給手段は、外周面から前記パージ媒体を噴出可能な複数のパージ管を有し、
前記湿潤燃料は、前記複数のパージ管の鉛直方向の上方側に貯留され、
前記複数のパージ管は、前記貯留容器内の一水平面に、管軸方向を互いに平行にして所定の間隔で並べて配置されると共に、前記複数のパージ管が並べられる方向の中央部には、前記所定の間隔よりも大きな空隙を設けることを特徴とする流動層乾燥装置。
【請求項４】
前記パージ媒体供給手段は、外周面から前記パージ媒体を噴出可能な複数のパージ管を有し、
前記湿潤燃料は、前記複数のパージ管の鉛直方向の上方側に貯留され、
前記複数のパージ管は、前記貯留容器内において鉛直方向に隣接する２つの水平面のそれぞれに、管軸方向を互いに平行にして所定の間隔で並べて配置されると共に、上段の水平面における複数のパージ管と下段の水平面における複数のパージ管とが、管軸方向に垂直断面視で千鳥状に配置されていることを特徴とする請求項１に記載の流動層乾燥装置。
【請求項５】
湿潤燃料を貯留可能な貯留容器と、
前記貯留容器に貯留された前記湿潤燃料を加熱する加熱手段と、
前記貯留容器に貯留された前記湿潤燃料へ向けて、前記湿潤燃料と共に混入する非凝縮性ガスを除去するためのパージ媒体を供給し、供給した前記パージ媒体により前記湿潤燃料を流動させるパージ媒体供給手段と、
前記貯留容器に貯留された前記湿潤燃料が供給され、供給された前記湿潤燃料が流動化ガスにより流動することで、内部に流動層が形成される乾燥容器と、を備え、
前記パージ媒体供給手段は、外周面から前記パージ媒体を噴出可能な複数のパージ管を有し、
前記湿潤燃料は、前記複数のパージ管の鉛直方向の上方側に貯留され、
前記複数のパージ管は、前記貯留容器内において鉛直方向に隣接する２つの水平面のそれぞれに、管軸方向を互いに平行にして所定の間隔で並べて配置されると共に、上段の水平面における複数のパージ管と下段の水平面における複数のパージ管とが、管軸方向に垂直断面視で千鳥状に配置されていることを特徴とする流動層乾燥装置。
【請求項６】
前記パージ媒体供給手段は、外周面から前記パージ媒体を噴出可能な複数のパージ管を有し、
前記複数のパージ管は、前記貯留容器内の一水平面に、管軸方向を互いに平行にして所定の間隔で並べて配置され、
前記複数のパージ管の上方には、一水平面全域に延在するメッシュ部材が設けられていることを特徴とする請求項１に記載の流動層乾燥装置。
【請求項７】
湿潤燃料を貯留可能な貯留容器と、
前記貯留容器に貯留された前記湿潤燃料を加熱する加熱手段と、
前記貯留容器に貯留された前記湿潤燃料へ向けて、前記湿潤燃料と共に混入する非凝縮性ガスを除去するためのパージ媒体を供給し、供給した前記パージ媒体により前記湿潤燃料を流動させるパージ媒体供給手段と、
前記貯留容器に貯留された前記湿潤燃料が供給され、供給された前記湿潤燃料が流動化ガスにより流動することで、内部に流動層が形成される乾燥容器と、を備え、
前記パージ媒体供給手段は、外周面から前記パージ媒体を噴出可能な複数のパージ管を有し、
前記複数のパージ管は、前記貯留容器内の一水平面に、管軸方向を互いに平行にして所定の間隔で並べて配置され、
前記複数のパージ管の上方には、一水平面全域に延在するメッシュ部材が設けられていることを特徴とする流動層乾燥装置。
【請求項８】
前記パージ媒体供給手段は、上部から前記パージ媒体を噴出する複数の噴出孔を設けたパージ用風室を有し、
前記パージ用風室は、前記貯留容器内の一水平面全域に延在し、
前記パージ用風室は、鉛直方向に貫通する複数の貫通孔を有することを特徴とする請求項１に記載の流動層乾燥装置。
【請求項９】
湿潤燃料を貯留可能な貯留容器と、
前記貯留容器に貯留された前記湿潤燃料を加熱する加熱手段と、
前記貯留容器に貯留された前記湿潤燃料へ向けて、前記湿潤燃料と共に混入する非凝縮性ガスを除去するためのパージ媒体を供給し、供給した前記パージ媒体により前記湿潤燃料を流動させるパージ媒体供給手段と、
前記貯留容器に貯留された前記湿潤燃料が供給され、供給された前記湿潤燃料が流動化ガスにより流動することで、内部に流動層が形成される乾燥容器と、を備え、
前記パージ媒体供給手段は、上部から前記パージ媒体を噴出する複数の噴出孔を設けたパージ用風室を有し、
前記パージ用風室は、前記貯留容器内の一水平面全域に延在し、
前記パージ用風室は、鉛直方向に貫通する複数の貫通孔を有することを特徴とする流動層乾燥装置。
【請求項１０】
前記貯留容器は、前記湿潤燃料を貯蔵する貯蔵容器と一体に設けられていることを特徴とする請求項１ないし５のいずれか１項に記載の流動層乾燥装置。
【請求項１１】
前記パージ媒体供給手段は、前記パージ媒体の供給量を連続的に、または間欠的に変化させることを特徴とする請求項１ないし７のいずれか１項に記載の流動層乾燥装置。
【請求項１２】
請求項１ないし１１のいずれか１項に記載の流動層乾燥装置と、
前記流動層乾燥装置から供給された乾燥後の前記湿潤燃料を処理してガス化ガスに変換するガス化炉と、
前記ガス化ガスを燃料として運転されるガスタービンと、
前記ガスタービンからのタービン排ガスを導入する排熱回収ボイラで生成した蒸気により運転される蒸気タービンと、
前記ガスタービンおよび前記蒸気タービンと連結された発電機とを備えたことを特徴とするガス化複合発電設備。
【請求項１３】
供給された湿潤燃料を貯留する燃料貯留工程と、
貯留した前記湿潤燃料を加熱する燃料加熱工程と、
貯留した前記湿潤燃料へ向けて、前記湿潤燃料と共に混入する非凝縮性ガスをパージするためのパージ媒体を供給し、供給した前記パージ媒体により前記湿潤燃料を流動させるパージ工程と、
前記燃料加熱工程および前記パージ工程が実行された前記湿潤燃料を、流動化ガスにより流動させながら乾燥させる乾燥工程と、を備え、
前記パージ媒体および前記流動化ガスは、水蒸気であり、
前記パージ工程において供給される前記パージ媒体は、前記乾燥工程において排出される前記流動化ガスの少なくとも一部が流入することを特徴とする乾燥方法。
【発明の詳細な説明】
【技術分野】
【０００１】
本発明は、褐炭等の湿潤燃料を流動させながら乾燥させる流動層乾燥装置、ガス化複合発電設備および乾燥方法に関するものである。
【背景技術】
【０００２】
従来、分級された粗粉炭が供給される流動床乾燥分級機が知られている（例えば、特許文献１参照）。この流動床乾燥分級機では、粗粉炭が石炭供給部から供給され、供給された粗粉炭が流動床分散板上を流動しながら流動床内で加熱ガスに加熱されることにより、粗粉炭が乾燥される。
【先行技術文献】
【特許文献】
【０００３】
【特許文献１】特開平９−２５５９６８号公報
【発明の概要】
【発明が解決しようとする課題】
【０００４】
ところで、褐炭等の湿潤燃料を流動化ガスにより流動させながら乾燥する流動層乾燥装置には、流動層乾燥装置の燃料供給側において、低温の湿潤燃料が供給されるため、湿潤燃料が凝集し易い。特に、流動化ガスとして水蒸気を用いる場合、流動層乾燥装置の燃料供給側が低温になることから、水蒸気が凝縮する凝縮水が発生し、凝縮水により湿潤燃料が凝集し易くなる。湿潤燃料が凝集すると、流動層乾燥装置内において、湿潤燃料が流動し難くなり、湿潤燃料の流動不良が発生することが考えられる。
【０００５】
また、流動層乾燥装置から排出された水蒸気は、その潜熱が回収され、利用される場合がある。このとき、排出される水蒸気に、窒素を含む空気等の非凝縮性ガスが混入すると、非凝縮性ガスが混入する分、水蒸気から回収可能な潜熱が減少するため、潜熱の回収効率を向上させることが困難である。
【０００６】
そこで、本発明は、湿潤燃料の凝集を抑制し、非凝縮性ガスの混入を抑制することで、湿潤燃料を好適に流動させると共に、排出される水蒸気の潜熱を効率よく回収することが可能な流動層乾燥装置および乾燥方法を提供することを課題とする。
【課題を解決するための手段】
【０００７】
本発明の流動層乾燥装置は、湿潤燃料を貯留可能な貯留容器と、貯留容器に貯留された湿潤燃料を加熱する加熱手段と、貯留容器に貯留された湿潤燃料へ向けて、湿潤燃料と共に混入する非凝縮性ガスを除去するためのパージ媒体を供給し、供給したパージ媒体により湿潤燃料を流動させるパージ媒体供給手段と、貯留容器に貯留された湿潤燃料が供給され、供給された湿潤燃料が流動化ガスにより流動することで、内部に流動層が形成される乾燥容器と、を備えたことを特徴とする。
【０００８】
この構成によれば、乾燥容器に湿潤燃料を供給する前に、貯留容器において、加熱手段により湿潤燃料を加熱することができ、また、パージ媒体供給手段から供給されたパージ媒体により湿潤燃料を流動させながら混入する非凝縮性ガスを除去することができる。このため、乾燥容器には、加熱された湿潤燃料が供給されるため、乾燥容器の湿潤燃料の供給側における温度を高くすることができ、これにより、湿潤燃料を凝集し難くすることができる。また、乾燥容器には、非凝縮性ガスが除去された湿潤燃料が供給されるため、流動層乾燥装置内への非凝縮性ガスの混入を抑制することができる。これにより、流動層乾燥装置から排出される水蒸気を利用する場合は、非凝縮性ガスの混入を抑制できる分、水蒸気の潜熱を効率よく回収することができる。
【０００９】
この場合、パージ媒体および流動化ガスは、水蒸気であり、貯留容器と乾燥容器とは、その内部が互いに連通するように接続され、貯留容器には、乾燥容器から排出される水蒸気の少なくとも一部が流入することが好ましい。
【００１０】
この構成によれば、乾燥容器で発生した水蒸気を貯留容器に流入させることができるため、乾燥容器で発生した水蒸気をパージ媒体として利用することができる。このため、パージ媒体供給手段から供給されるパージ媒体の供給量を低減することができ、非凝縮性ガスを効率よく除去することができる。
【００１１】
この場合、パージ媒体供給手段は、外周面からパージ媒体を噴出可能な複数のパージ管を有し、湿潤燃料は、複数のパージ管の鉛直方向の上方側に貯留され、複数のパージ管は、貯留容器内の一水平面に、管軸方向を互いに平行にして所定の間隔で並べて配置されると共に、複数のパージ管が並べられる方向の中央部には、所定の間隔よりも大きな空隙を設けることが好ましい。
【００１２】
この構成によれば、湿潤燃料を流動させながら、一水平面に並べられた複数のパージ管の並び方向の中央部から乾燥容器へ向けて好適に案内することができる。
【００１３】
この場合、パージ媒体供給手段は、外周面からパージ媒体を噴出可能な複数のパージ管を有し、湿潤燃料は、複数のパージ管の鉛直方向の上方側に貯留され、複数のパージ管は、貯留容器内において鉛直方向に隣接する２つの水平面のそれぞれに、管軸方向を互いに平行にして所定の間隔で並べて配置されると共に、上段の水平面における複数のパージ管と下段の水平面における複数のパージ管とが、管軸方向に垂直断面視で千鳥状に配置されていることが好ましい。
【００１４】
この構成によれば、貯留された湿潤燃料が千鳥状に配置された複数のパージ管を通過する際、複数のパージ管は、湿潤燃料を好適に分散させることができるため、複数のパージ管から噴出するパージ媒体により湿潤燃料と共に混入する非凝縮性ガスを好適に除去することができる。
【００１５】
この場合、パージ媒体供給手段は、外周面からパージ媒体を噴出可能な複数のパージ管を有し、複数のパージ管は、貯留容器内の一水平面に、管軸方向を互いに平行にして所定の間隔で並べて配置され、複数のパージ管の上方には、一水平面全域に延在するメッシュ部材が設けられていることが好ましい。
【００１６】
この構成によれば、湿潤燃料はメッシュ部材に貯留されるため、複数のパージ管に加わる負荷を低減することができる。
【００１７】
この場合、パージ媒体供給手段は、上部からパージ媒体を噴出する複数の噴出孔を設けたパージ用風室を有し、パージ用風室は、貯留容器内の一水平面全域に延在し、パージ用風室は、鉛直方向に貫通する複数の貫通孔を有することが好ましい。
【００１８】
この構成によれば、湿潤燃料はパージ用風室の上方に貯留されるため、貯留される湿潤燃料を好適に支えることができる。
【００１９】
この場合、貯留容器は、湿潤燃料を貯蔵する貯蔵容器と一体に設けられていることが好ましい。
【００２０】
この構成によれば、貯蔵容器と貯留容器とを一体にすることで、湿潤燃料の貯蔵を兼ねることができるため、構成を簡易なものとすることができる。
【００２１】
この場合、パージ媒体供給手段は、パージ媒体の供給量を連続的に、または間欠的に変化させることが好ましい。
【００２２】
この構成によれば、貯留された湿潤燃料を好適に流動させることができる。
【００２３】
本発明のガス化複合発電設備は、上記の流動層乾燥装置と、流動層乾燥装置から供給された乾燥後の湿潤燃料を処理してガス化ガスに変換するガス化炉と、ガス化ガスを燃料として運転されるガスタービンと、ガスタービンからのタービン排ガスを導入する排熱回収ボイラで生成した蒸気により運転される蒸気タービンと、ガスタービンおよび蒸気タービンと連結された発電機とを備えたことを特徴とする。
【００２４】
この構成によれば、流動層乾燥装置において好適に流動させ乾燥させた湿潤燃料をガス化炉に供給することができる。
【００２５】
本発明の乾燥方法は、供給された湿潤燃料を貯留する燃料貯留工程と、貯留した湿潤燃料を加熱する燃料加熱工程と、貯留した湿潤燃料へ向けて、湿潤燃料と共に混入する非凝縮性ガスをパージするためのパージ媒体を供給し、供給したパージ媒体により湿潤燃料を流動させるパージ工程と、燃料加熱工程およびパージ工程が実行された湿潤燃料を、流動化ガスにより流動させながら乾燥させる乾燥工程と、を備えたことを特徴とする。
【００２６】
この構成によれば、乾燥工程前に、燃料加熱工程において、加熱手段により湿潤燃料を加熱することができ、また、パージ工程において、パージ媒体により湿潤燃料を流動させながら混入する非凝縮性ガスを除去することができる。このため、乾燥工程では、加熱された湿潤燃料が供給されるため、湿潤燃料の温度を高くすることができ、これにより、湿潤燃料を凝集し難くすることができる。また、乾燥工程では、非凝縮性ガスが除去された湿潤燃料が供給されるため、非凝縮性ガスの混入を抑制することができる。これにより、乾燥工程において排出される水蒸気を利用する場合は、非凝縮性ガスの混入を抑制できる分、水蒸気の潜熱を効率よく回収することができる。
【発明の効果】
【００２７】
本発明の流動層乾燥装置、ガス化複合発電設備および乾燥方法によれば、湿潤燃料の凝集を抑制し、非凝縮性ガスの混入を抑制することで、湿潤燃料を好適に流動させると共に、排出される水蒸気の潜熱を効率よく回収することができる。
【図面の簡単な説明】
【００２８】
【図１】図１は、実施例１に係る流動層乾燥装置を適用した石炭ガス化複合発電設備の概略構成図である。
【図２】図２は、実施例１に係る流動層乾燥装置を模式的に表した概略構成図である。
【図３】図３は、実施例２に係る流動層乾燥装置を模式的に表した概略構成図である。
【図４】図４は、変形例１に係るパージ媒体供給部を模式的に表した概略構成図である。
【図５】図５は、変形例２に係るパージ媒体供給部を模式的に表した概略構成図である。
【図６】図６は、変形例３に係るパージ媒体供給部を模式的に表した概略構成図である。
【図７】図７は、変形例４に係るパージ媒体供給部を模式的に表した概略構成図である。
【図８】図８は、変形例５に係るパージ媒体供給部の間欠噴出動作に関するグラフである。
【図９】図９は、実施例３に係る流動層乾燥装置を模式的に表した概略構成図である。
【発明を実施するための形態】
【００２９】
以下、添付した図面を参照して、本発明に係る流動層乾燥装置、ガス化複合発電設備および乾燥方法について説明する。なお、以下の実施例によりこの発明が限定されるものではない。また、下記実施例における構成要素には、当業者が置換可能かつ容易なもの、或いは実質的に同一のものが含まれる。
【実施例１】
【００３０】
図１は、実施例１に係る流動層乾燥装置を適用した石炭ガス化複合発電設備の概略構成図である。実施例１の流動層乾燥装置１が適用された石炭ガス化複合発電設備（ＩＧＣＣ：Ｉｎｔｅｇｒａｔｅｄ  Ｃｏａｌ  Ｇａｓｉｆｉｃａｔｉｏｎ  Ｃｏｍｂｉｎｅｄ  Ｃｙｃｌｅ）１００は、空気を酸化剤としてガス化炉で石炭ガスを生成する空気燃焼方式を採用し、ガス精製装置で精製した後の石炭ガスを燃料ガスとしてガスタービン設備に供給して発電を行っている。すなわち、実施例１の石炭ガス化複合発電設備１００は、空気燃焼方式（空気吹き）の発電設備である。この場合、ガス化炉に供給する湿潤燃料として褐炭を使用している。
【００３１】
なお、実施例１では、湿潤燃料として褐炭を適用したが、水分含量の高いものであれば、亜瀝青炭等を含む低品位炭や、スラッジ等の泥炭を適用してもよく、また、高品位炭であっても適用可能である。また、湿潤燃料として、褐炭等の石炭に限らず、再生可能な生物由来の有機性資源として使用されるバイオマスであってもよく、例えば、間伐材、廃材木、流木、草類、廃棄物、汚泥、タイヤ及びこれらを原料としたリサイクル燃料（ペレットやチップ）などを使用することも可能である。
【００３２】
実施例１において、図１に示すように、石炭ガス化複合発電設備１００は、給炭装置１１１、流動層乾燥装置１、微粉炭機１１３、石炭ガス化炉１１４、チャー回収装置１１５、ガス精製装置１１６、ガスタービン設備１１７、蒸気タービン設備１１８、発電機１１９、排熱回収ボイラ（ＨＲＳＧ：Ｈｅａｔ  Ｒｅｃｏｖｅｒｙ  Ｓｔｅａｍ  Ｇｅｎｅｒａｔｏｒ）１２０を有している。
【００３３】
給炭装置１１１は、原炭バンカ１２１と、石炭供給機１２２と、クラッシャ１２３とを有している。原炭バンカ１２１は、褐炭を貯留可能であって、所定量の褐炭を石炭供給機１２２に投下する。石炭供給機１２２は、原炭バンカ１２１から投下された褐炭をコンベアなどにより搬送し、クラッシャ１２３に投下する。このクラッシャ１２３は、投下された褐炭を細かく破砕して細粒化する。
【００３４】
詳細は後述するが、流動層乾燥装置１は、給炭装置１１１から投入された褐炭を流動化ガスにより流動させながら乾燥させることで、褐炭が含有する水分を除去するものである。この流動層乾燥装置１には、排出された乾燥済の褐炭（乾燥炭）を冷却する冷却器１３１が接続されている。冷却器１３１には、冷却済の乾燥炭を貯留する乾燥炭バンカ１３２が接続されている。また、流動層乾燥装置１には、外部へ排出される排出ガスから乾燥炭の粒子を分離する集塵装置１３９として乾燥炭サイクロン１３３と乾燥炭電気集塵機１３４が接続されている。乾燥炭サイクロン１３３および乾燥炭電気集塵機１３４において排出ガスから分離された乾燥炭の粒子は、乾燥炭バンカ１３２に貯留される。なお、乾燥炭電気集塵機１３４で乾燥炭が分離された排出ガスは、蒸気圧縮機１３５で圧縮されてから各種熱源として利用される。
【００３５】
微粉炭機１１３は、流動層乾燥装置１により乾燥された褐炭（乾燥炭）を細かい粒子状に粉砕して微粉炭を製造するものである。すなわち、微粉炭機１１３は、乾燥炭バンカ１３２に貯留された乾燥炭が石炭供給機１３６により投下されると、この乾燥炭を所定粒径以下の微粉炭とする。そして、微粉炭機１１３で粉砕後の微粉炭は、微粉炭バグフィルタ１３７ａ，１３７ｂにより搬送用ガスから分離され、微粉炭供給ホッパ１３８ａ，１３８ｂに貯留される。
【００３６】
石炭ガス化炉１１４は、微粉炭機１１３で処理された微粉炭が供給されると共に、チャー回収装置１１５で回収されたチャー（石炭の未燃分）が供給される。
【００３７】
石炭ガス化炉１１４は、ガスタービン設備１１７（圧縮機１６１）から圧縮空気供給ライン１４１が接続されており、このガスタービン設備１１７で圧縮された圧縮空気が供給可能となっている。空気分離装置１４２は、大気中の空気から窒素と酸素を分離生成するものであり、第１窒素供給ライン１４３が石炭ガス化炉１１４に接続され、この第１窒素供給ライン１４３に微粉炭供給ホッパ１３８ａ，１３８ｂからの給炭ライン１４４ａ，１４４ｂが接続されている。また、第２窒素供給ライン１４５も石炭ガス化炉１１４に接続され、この第２窒素供給ライン１４５にチャー回収装置１１５からのチャー戻しライン１４６が接続されている。更に、酸素供給ライン１４７は、圧縮空気供給ライン１４１に接続されている。この場合、窒素は、石炭やチャーの搬送用ガスとして利用され、酸素は、酸化剤として利用される。
【００３８】
石炭ガス化炉１１４は、例えば、噴流床形式のガス化炉であって、内部に供給された石炭、チャー、空気（酸素）、またはガス化剤としての水蒸気を燃焼・ガス化すると共に、二酸化炭素を主成分とする可燃性ガス（生成ガス、石炭ガス）が発生し、この可燃性ガスをガス化剤としてガス化反応が起こる。なお、石炭ガス化炉１１４は、微粉炭の混入した異物を除去する異物除去装置１４８が設けられている。この場合、石炭ガス化炉１１４は噴流床ガス化炉に限らず、流動床ガス化炉や固定床ガス化炉としてもよい。そして、この石炭ガス化炉１１４は、チャー回収装置１１５に向けて可燃性ガスのガス生成ライン１４９が設けられており、チャーを含む可燃性ガスが排出可能となっている。この場合、ガス生成ライン１４９にガス冷却器を設けることで、可燃性ガスを所定温度まで冷却してからチャー回収装置１１５に供給するとよい。
【００３９】
チャー回収装置１１５は、集塵装置１５１と供給ホッパ１５２とを有している。この場合、集塵装置１５１は、１つまたは複数のバグフィルタやサイクロンにより構成され、石炭ガス化炉１１４で生成された可燃性ガスに含有するチャーを分離することができる。そして、チャーが分離された可燃性ガスは、ガス排出ライン１５３を通してガス精製装置１１６に送られる。供給ホッパ１５２は、集塵装置１５１で可燃性ガスから分離されたチャーを貯留するものである。なお、集塵装置１５１と供給ホッパ１５２との間にビンを配置し、このビンに複数の供給ホッパ１５２を接続するように構成してもよい。そして、供給ホッパ１５２からのチャー戻しライン１４６が第２窒素供給ライン１４５に接続されている。
【００４０】
ガス精製装置１１６は、チャー回収装置１１５によりチャーが分離された可燃性ガスに対して、硫黄化合物や窒素化合物などの不純物を取り除くことで、ガス精製を行うものである。そして、ガス精製装置１１６は、可燃性ガスを精製して燃料ガスを製造し、これをガスタービン設備１１７に供給する。なお、このガス精製装置１１６では、チャーが分離された可燃性ガス中にはまだ硫黄分（Ｈ２Ｓ）が含まれているため、アミン吸収液によって除去することで、硫黄分を最終的には石膏として回収し、有効利用する。
【００４１】
ガスタービン設備１１７は、圧縮機１６１、燃焼器１６２、タービン１６３を有しており、圧縮機１６１とタービン１６３は、回転軸１６４により連結されている。燃焼器１６２は、圧縮機１６１から圧縮空気供給ライン１６５が接続されると共に、ガス精製装置１１６から燃料ガス供給ライン１６６が接続され、タービン１６３に燃焼ガス供給ライン１６７が接続されている。また、ガスタービン設備１１７は、圧縮機１６１から石炭ガス化炉１１４に延びる圧縮空気供給ライン１４１が設けられており、圧縮空気供給ライン１４１に昇圧機１６８が介設されている。従って、燃焼器１６２では、圧縮機１６１から供給された圧縮空気とガス精製装置１１６から供給された燃料ガスとを混合して燃焼し、タービン１６３にて、発生した燃焼ガスにより回転軸１６４を回転することで発電機１１９を駆動することができる。
【００４２】
蒸気タービン設備１１８は、ガスタービン設備１１７における回転軸１６４に連結されるタービン１６９を有しており、発電機１１９は、この回転軸１６４の基端部に連結されている。排熱回収ボイラ１２０は、ガスタービン設備１１７（タービン１６３）からの排ガスライン１７０に設けられており、空気と高温の排ガスとの間で熱交換を行うことで、水蒸気を生成するものである。そのため、排熱回収ボイラ１２０は、蒸気タービン設備１１８のタービン１６９との間に蒸気供給ライン１７１が設けられると共に、蒸気回収ライン１７２が設けられ、蒸気回収ライン１７２に復水器１７３が設けられている。従って、蒸気タービン設備１１８では、排熱回収ボイラ１２０から供給された蒸気によりタービン１６９が駆動し、回転軸１６４を回転することで発電機１１９を駆動することができる。
【００４３】
そして、排熱回収ボイラ１２０で熱が回収された排ガスは、ガス浄化装置１７４により有害物質を除去され、浄化された排ガスは、煙突１７５から大気へ放出される。
【００４４】
ここで、実施例１の石炭ガス化複合発電設備１００の作動について説明する。
【００４５】
実施例１の石炭ガス化複合発電設備１００において、給炭装置１１１にて、原炭（褐炭）が原炭バンカ１２１に貯留されており、この原炭バンカ１２１の褐炭が石炭供給機１２２によりクラッシャ１２３に投下され、ここで所定の大きさに破砕される。そして、破砕された褐炭は、流動層乾燥装置１により加熱乾燥された後、冷却器１３１により冷却され、乾燥炭バンカ１３２に貯留される。また、流動層乾燥装置１から排出された排出ガスは、乾燥炭サイクロン１３３および乾燥炭電気集塵機１３４により乾燥炭の粒子が分離され、蒸気圧縮機１３５で圧縮された後、各種熱源として利用される。一方、水蒸気から分離された乾燥炭の粒子は、乾燥炭バンカ１３２に貯留される。
【００４６】
乾燥炭バンカ１３２に貯留される乾燥炭は、石炭供給機１３６により微粉炭機１１３に投入され、ここで、細かい粒子状に粉砕されて微粉炭が製造され、微粉炭バグフィルタ１３７ａ，１３７ｂを介して微粉炭供給ホッパ１３８ａ，１３８ｂに貯留される。この微粉炭供給ホッパ１３８ａ，１３８ｂに貯留される微粉炭は、空気分離装置１４２から供給される窒素により第１窒素供給ライン１４３を通して石炭ガス化炉１１４に供給される。また、後述するチャー回収装置１１５で回収されたチャーが、空気分離装置１４２から供給される窒素により第２窒素供給ライン１４５を通して石炭ガス化炉１１４に供給される。更に、後述するガスタービン設備１１７から抽気された圧縮空気が昇圧機１６８で昇圧された後、空気分離装置１４２から供給される酸素と共に圧縮空気供給ライン１４１を通して石炭ガス化炉１１４に供給される。
【００４７】
石炭ガス化炉１１４では、供給された微粉炭及びチャーが圧縮空気（酸素）により燃焼し、微粉炭及びチャーがガス化することで、二酸化炭素を主成分とする可燃性ガス（石炭ガス）を生成することができる。そして、この可燃性ガスは、石炭ガス化炉１１４からガス生成ライン１４９を通して排出され、チャー回収装置１１５に送られる。
【００４８】
このチャー回収装置１１５にて、可燃性ガスは、まず、集塵装置１５１に供給され、集塵装置１５１は、可燃性ガスに含まれるチャーを分離する。そして、チャーが分離された可燃性ガスは、ガス排出ライン１５３を通してガス精製装置１１６に送られる。一方、可燃性ガスから分離した微粒チャーは、供給ホッパ１５２に堆積され、チャー戻しライン１４６を通して石炭ガス化炉１１４に戻されてリサイクルされる。
【００４９】
チャー回収装置１１５によりチャーが分離された可燃性ガスは、ガス精製装置１１６にて、硫黄化合物や窒素化合物などの不純物が取り除かれてガス精製され、燃料ガスが製造される。そして、ガスタービン設備１１７では、圧縮機１６１が圧縮空気を生成して燃焼器１６２に供給すると、この燃焼器１６２は、圧縮機１６１から供給される圧縮空気と、ガス精製装置１１６から供給される燃料ガスとを混合し、燃焼することで燃焼ガスを生成し、この燃焼ガスによりタービン１６３を駆動することで、回転軸１６４を介して発電機１１９を駆動し、発電を行うことができる。
【００５０】
そして、ガスタービン設備１１７におけるタービン１６３から排出された排気ガスは、排熱回収ボイラ１２０にて、空気と熱交換を行うことで水蒸気を生成し、この生成した水蒸気を蒸気タービン設備１１８に供給する。蒸気タービン設備１１８では、排熱回収ボイラ１２０から供給された蒸気によりタービン１６９を駆動することで、回転軸１６４を介して発電機１１９を駆動し、発電を行うことができる。
【００５１】
その後、ガス浄化装置１７４では、排熱回収ボイラ１２０から排出された排気ガスの有害物質が除去され、浄化された排ガスが煙突１７５から大気へ放出される。
【００５２】
以下、上述した石炭ガス化複合発電設備１００における流動層乾燥装置１について詳細に説明する。図２は、実施例１に係る流動層乾燥装置を模式的に表した概略構成図である。実施例１の流動層乾燥装置１は、給炭装置１１１により投入された褐炭を、流動化ガスにより流動させながら、加熱乾燥させるものである。
【００５３】
図２に示すように、流動層乾燥装置１は、内部に褐炭が供給される乾燥炉５を備えている。乾燥炉５は、貯留容器６と乾燥容器７とを有している。乾燥容器７は、長方体の箱状に形成されており、内部に供給される褐炭は、一端側（図示左側）から他端側（図示右側）へ向かう流動方向に流動する。乾燥容器７の内部には、ガス分散板８が設けられている。ガス分散板８は、乾燥容器７内部の空間を、鉛直方向下方側（図示下側）に位置する風室１１と、鉛直方向上方側（図示上側）に位置する乾燥室１２とに区分けしている。ガス分散板８には、多数の貫通孔が形成され、風室１１には、流動化蒸気が導入される。また、乾燥容器７の内部には、複数の仕切り板９が設けられている。複数の仕切り板９は、乾燥室１２を褐炭の流動方向に沿って複数に区分けしている。実施例１では、仕切り板９は、２つ設けられ、乾燥室１２を３室、すなわち流動方向の上流側の乾燥室１２ａ、流動方向の中流側の乾燥室１２ｂ、流動方向の下流側の乾燥室１２ｃに区分けしている。
【００５４】
乾燥容器７には、褐炭を投入する褐炭投入口３１と、褐炭を加熱乾燥した乾燥炭を排出する乾燥炭排出口３４と、流動化蒸気および乾燥時に発生する発生蒸気を排出する水蒸気排出口３５が設けられている。
【００５５】
褐炭投入口３１は、上流側の乾燥室１２ａの上部に形成されている。褐炭投入口３１には、貯留容器６が接続されており、貯留容器６から供給された褐炭が、上流側の乾燥室１２ａに供給される。
【００５６】
乾燥炭排出口３４は、下流側の乾燥室１２ｃにおける他端側（図示右側）の下部に形成されている。乾燥炭排出口３４からは、乾燥室１２において乾燥された褐炭が、乾燥炭として排出され、排出された乾燥炭は上記した冷却器１３１へ向けて供給される。
【００５７】
水蒸気排出口３５は、下流側の乾燥室１２ｃにおける他端側の上部に形成されている。水蒸気排出口３５は、褐炭の乾燥時において、乾燥室１２に供給された流動化蒸気と共に、褐炭が加熱されることによって発生する発生蒸気を排出している。なお、水蒸気排出口３５から排出された流動化蒸気および発生蒸気は、上記した集塵装置１３９へ向けて供給された後、蒸気圧縮機１３５に供給される。
【００５８】
従って、褐炭投入口３１を介して上流側の乾燥室１２ａに供給された褐炭は、ガス分散板８を介して供給される流動化蒸気により流動することで、上流側の乾燥室１２ａから下流側の乾燥室１２ｃに亘って流動層３を形成すると共に、流動層３の上方にフリーボード部Ｆを形成する。乾燥室１２に形成される流動層３は、その流動方向が、乾燥室１２の一端側から他端側へ向かう方向となる。そして、上流側の乾燥室１２ａに供給された褐炭は、流動方向に沿って流動しながら乾燥されることで、褐炭に含まれる水分が発生蒸気となって、流動化蒸気と共に水蒸気排出口３５から排出される。水分が除去され、下流側の乾燥室１２ｃまで流動した褐炭は、乾燥炭として、乾燥炭排出口３４から排出される。なお、図示は省略するが、流動層３の内部に伝熱管を設け、伝熱管により流動層３の褐炭を加熱してもよい。
【００５９】
貯留容器６は、乾燥容器７の流動方向の上流側における鉛直方向の上方に設けられており、褐炭投入口３１に接続されている。具体的に、貯留容器６は、長方体の箱状に形成されており、上流側の乾燥室１２ａの直上に設けられ、乾燥容器７と連通している。貯留容器６には、褐炭供給口３９とガス排出口４０とが設けられている。褐炭供給口３９は、貯留容器６の上部に形成されている。褐炭供給口３９には、給炭装置１１１が接続されており、給炭装置１１１から供給された褐炭が、貯留容器６内に供給される。ガス排出口４０は、貯留容器６の上部に形成されている。ガス排出口４０からは、貯留容器６に供給される後述のパージ蒸気および非凝縮性ガスが排出される。
【００６０】
貯留容器６の内部には、加熱管（加熱手段）４１と、パージ媒体供給部（パージ媒体供給手段）４２とが設けられている。パージ媒体供給部４２は、複数のパージ管４５を有しており、各パージ管４５へ向けてパージ媒体となるパージ蒸気が供給される。複数のパージ管４５は、その管軸方向が水平方向となっており、水平面内において平行に配置され、所定の間隔毎に空けて配置されている。各パージ管４５には、噴出孔４６が複数形成されており、管内に供給されたパージ蒸気を噴出している。噴出孔４６は、パージ蒸気を上方へ向けて噴出するように形成されている。なお、噴出孔４６は、パージ蒸気を下方へ向けて噴出するように形成してもよく、上記の構成に限定されない。そして、複数のパージ管４５の上方には、給炭装置１１１から供給された褐炭が貯留している。つまり、複数のパージ管４５同士の間は、褐炭を貯留可能で、且つ褐炭が通過可能な距離となっている。
【００６１】
加熱管４１は、複数のパージ管４５の上方に貯留した褐炭の内部に設けられている。加熱管４１には、加熱ガスが供給され、貯留した褐炭を加熱する。加熱ガスとしては、石炭ガス化複合発電設備１００からの排熱、または流動層乾燥装置１からの排熱を利用することが好ましい。なお、この加熱管４１は、褐炭を１００℃まで予熱可能な温度となっており、具体的には、常温となる２０℃の褐炭を、６０℃〜１００℃までに予熱可能な温度となっている。
【００６２】
従って、給炭装置１１１から供給された褐炭は、複数のパージ管４５の上方に貯留する（燃料貯留工程）。貯留した褐炭は、各パージ管４５から噴出されたパージ蒸気により流動しながら、加熱管４１により加熱される（燃料加熱工程およびパージ工程）。このとき、直下に位置する乾燥容器７で発生した水蒸気の一部も、パージ蒸気として貯留容器６に流入する。これにより、各パージ管４５から噴出されたパージ蒸気および乾燥容器７から流入するパージ蒸気は、褐炭を流動させながら、褐炭と共に混入した空気等の非凝縮性ガスをガス排出口４０から追い出すことで、非凝縮性ガスを除去する。また、パージ蒸気により流動する褐炭は、加熱管４１により加熱されることで、所定の予熱温度まで予熱される。そして、流動し予熱された褐炭は、自重により複数のパージ管４５の間を通過（落下）し、乾燥容器７の上流側の乾燥室１２ａへ向けて投入され、乾燥容器７で乾燥される（乾燥工程）。
【００６３】
以上のように、実施例１の構成によれば、乾燥容器７に褐炭を供給する前に、貯留容器６において、加熱管４１により褐炭を加熱することができ、また、パージ媒体供給部４２から供給されたパージ蒸気により褐炭を流動させながら混入する非凝縮性ガスを除去することができる。このため、乾燥容器７には、加熱された褐炭が供給されるため、乾燥容器７の褐炭の供給側（流動方向の上流側）における温度を高くすることができ、これにより、褐炭を凝集し難くすることができる。また、乾燥容器７には、非凝縮性ガスが除去された褐炭が供給されるため、流動層乾燥装置１内への非凝縮性ガスの混入を抑制することができる。これにより、流動層乾燥装置１から排出される水蒸気を利用する場合は、非凝縮性ガスの混入を抑制できる分、水蒸気の潜熱を効率よく回収することができる。
【００６４】
また、実施例１の構成によれば、乾燥容器７で発生した水蒸気を貯留容器６に流入させることができるため、乾燥容器７で発生した水蒸気をパージ蒸気として活用することができる。このため、パージ媒体供給部４２から供給されるパージ蒸気の供給量を低減することができ、非凝縮性ガスを効率よく除去することができる。
【実施例２】
【００６５】
次に、図３を参照して、実施例２に係る流動層乾燥装置２００について説明する。図３は、実施例２に係る流動層乾燥装置を模式的に表した概略構成図である。なお、実施例２では、重複した記載を避けるべく、実施例１と異なる部分について説明すると共に、実施例１と同様の構成である部分については、同じ符号を付す。実施例１に係る流動層乾燥装置１は、給炭装置１１１から供給された褐炭を貯留容器６に貯留したが、実施例２に係る流動層乾燥装置２００では、貯留容器６が、褐炭を貯蔵する貯蔵容器２０１と一体となっている。以下、実施例２に係る流動層乾燥装置２００について説明する。
【００６６】
図３に示すように、実施例２の流動層乾燥装置２００において、貯蔵容器２０１は、給炭装置１１１から供給される褐炭を貯蔵する容器である。貯蔵容器２０１は、その下端部が貯留容器６の上端部と接続され、貯蔵容器２０１と貯留容器６とは連通している。このとき、褐炭供給口３９およびガス排出口４０は、貯蔵容器２０１の上部に設けられている。
【００６７】
以上のように、実施例２の構成によれば、給炭装置１１１から供給された褐炭は、複数のパージ管４５の上方に貯留する。このとき、褐炭は、貯留容器６および貯蔵容器２０１に亘って貯留される。よって、貯蔵容器２０１と貯留容器６とを一体にすることで、褐炭の貯蔵を兼ねることができるため、構成を簡易なものとすることができる。
【００６８】
なお、実施例１および実施例２では、複数のパージ管４５を、水平面内において等間隔となるように平行に配置したが、この構成に限定されず、例えば、図４に示す変形例１としてもよい。図４は、変形例１に係るパージ媒体供給部を模式的に表した概略構成図である。変形例１のパージ媒体供給部４２において、複数のパージ管４５は、管軸方向が水平方向となるように配設されると共に、一水平面内において所定の間隔を空けて平行に並べて配置されている。また、複数のパージ管４５は、複数のパージ管４５が並べられた方向の中央部において、所定の間隔よりも大きな空隙を設けている。このため、複数のパージ管４５は、貯留容器６の中央部に隙間を設けて、貯留容器６の両側に配置されている。変形例１の構成によれば、パージ蒸気により流動する褐炭は、貯留容器６の中央部の隙間から乾燥容器７へ向けて自重により落下するため、複数のパージ管４５は、褐炭を好適に案内することができる。
【００６９】
また、実施例１および実施例２では、複数のパージ管４５を、水平面内において等間隔となるように平行に配置したが、この構成に限定されず、例えば、図５に示す変形例２としてもよい。図５は、変形例２に係るパージ媒体供給部を模式的に表した概略構成図である。変形例２のパージ媒体供給部４２において、複数のパージ管４５は、鉛直方向に隣接する２つの水平面のそれぞれに、管軸方向が水平方向となるように配設されると共に、各水平面内において所定の間隔を空けて平行に並べて配置されている。また、複数のパージ管４５は、上段の水平面における複数のパージ管４５と、下段の水平面における複数のパージ管４５とが、管軸方向に対し直交する面で切った断面内において（垂直断面視で）、千鳥状に配置されている。変形例２の構成によれば、貯留された褐炭が千鳥状に配置された複数のパージ管４５を通過する際、複数のパージ管４５は、褐炭を好適に分散させることができるため、複数のパージ管４５から噴出するパージ蒸気により褐炭と共に混入する非凝縮性ガスを好適に除去することができる。
【００７０】
また、実施例１および実施例２では、複数のパージ管４５を、水平面内において等間隔となるように平行に配置したが、この構成に限定されず、例えば、図６に示す変形例３としてもよい。図６は、変形例３に係るパージ媒体供給部を模式的に表した概略構成図である。変形例３のパージ媒体供給部４２において、複数のパージ管４５は、水平面内において等間隔となるように平行に配置している。また、複数のパージ管４５の上方には、メッシュ部材２０５が設けられている。メッシュ部材２０５は、貯留容器６の上方側と下方側とに区分けするように、貯留容器６の水平面内における全域に設けられ、貯留容器６に供給される褐炭を貯留可能で、且つ褐炭が通過可能なものとなっている。変形例３の構成によれば、褐炭は、メッシュ部材２０５上に貯留するため、複数のパージ管４５に加わる負荷を低減することができる。
【００７１】
また、実施例１および実施例２では、複数のパージ管４５を用いてパージ蒸気を供給したが、この構成に限定されず、例えば、図７に示す変形例４としてもよい。図７は、変形例４に係るパージ媒体供給部を模式的に表した概略構成図である。変形例４のパージ媒体供給部４２は、パージ用風室２１０を有しており、パージ用風室２１０へ向けてパージ蒸気が供給される。パージ用風室２１０は、貯留容器６の上方側と下方側とに区分けするように、貯留容器６の水平面内における全域に設けられている。パージ用風室２１０は、その上部に、噴出孔２１１が複数形成され、パージ用風室２１０内に供給されたパージ蒸気を噴出している。噴出孔２１１は、パージ蒸気を上方へ向けて噴出するように形成されている。また、パージ用風室２１０は、鉛直方向に貫通する貫通孔２１２が複数形成されている。そして、パージ用風室２１０の上方には、給炭装置１１１から供給された褐炭が貯留しており、貯留した褐炭は、貫通孔２１２を通過して、乾燥容器７へ投入される。変形例４の構成によれば、褐炭は、パージ用風室２１０上に貯留するため、貯留した褐炭を好適に支えることができる。
【００７２】
また、実施例１および実施例２では、複数のパージ管４５からパージ蒸気を供給したが、この構成に限定されず、例えば、図８に示す変形例５としてもよい。図８は、変形例５に係るパージ媒体供給部の間欠噴出動作に関するグラフである。変形例５のパージ媒体供給部４２では、各パージ管４５の噴出孔４６から噴出されるパージ蒸気の噴出量が、所定の周期で応じて変化するように、各パージ管４５へ向けてパージ蒸気が供給される。例えば、図８に示すＰ１では、パージ蒸気の噴出量が、噴出量をゼロと所定の噴出量との間で、所定時間毎に切り替えられている。また、例えば、図８に示すＰ２では、パージ蒸気の噴出量が、少ない噴出量と多い噴出量の間で、所定時間毎に切り替えられている。変形例５の構成によれば、パージ蒸気の供給量を間欠的に変化させることができるため、貯留容器６に貯留された褐炭を好適に流動させることが可能となる。
【実施例３】
【００７３】
次に、図９を参照して、実施例３に係る流動層乾燥装置２２０について説明する。図９は、実施例３に係る流動層乾燥装置を模式的に表した概略構成図である。なお、実施例３でも、重複した記載を避けるべく、実施例１と異なる部分について説明すると共に、実施例１と同様の構成である部分については、同じ符号を付す。実施例１に係る流動層乾燥装置１は、貯留容器６に貯留する褐炭は、パージ蒸気により流動しながら、加熱管４１に加熱され、自重により複数のパージ管４５の間を落下して、乾燥容器７に投入された。しかしながら、実施例３に係る流動層乾燥装置２２０では、貯留容器２２１の褐炭がスクリューフィーダ２２２により移動させられ、パージ蒸気により流動しながら、加熱手段に加熱された後、乾燥容器７に投入さる。以下、実施例３に係る流動層乾燥装置２２０について説明する。
【００７４】
図９に示すように、流動層乾燥装置２２０は、内部に褐炭が供給される乾燥炉５を備えている。乾燥炉５は、貯留容器２２１と乾燥容器７とを有している。乾燥容器７は、実施例１および２と同様の構成であるため、説明を省略する。
【００７５】
貯留容器２２１は、水平方向が軸方向となる円筒状に形成されており、貯留容器２２１の他端側（図示右側）と乾燥容器７の一端側（図示左側）とは、連通管２２５により接続されている。貯留容器２２１は、その外周側に加熱ガスが流通する加熱ガス流路（加熱手段）２２６が形成されており、加熱ガス流路２２６内を加熱ガスが流通することで、貯留容器２２１を加熱している。加熱ガス流路２２６には、加熱ガスが流入する加熱ガス流入口２３１と、加熱ガスが流出する加熱ガス流出口２３２とが形成されている。加熱ガス流入口２３１は、貯留容器２２１の他端側における加熱ガス流路２２６に設けられ、加熱ガス流出口２３２は、貯留容器２２１の一端側における加熱ガス流路２２６に設けられている。これにより、加熱ガスは、加熱ガス流路２２６内において、貯留容器２２１の他端側から一端側へ向かう方向に流れる。
【００７６】
貯留容器２２１には、褐炭供給口２３７とガス排出口２３８とが設けられている。褐炭供給口２３７は、貯留容器２２１の一端側の上部に形成されている。褐炭供給口２３７には、給炭装置１１１が接続されており、給炭装置１１１から供給された褐炭が、貯留容器２２１内に供給される。ガス排出口２３８は、貯留容器２２１の一端側の上部に形成されている。ガス排出口２３８からは、貯留容器６に供給される後述のパージ蒸気および非凝縮性ガスが排出される。
【００７７】
貯留容器２２１の内部には、スクリューフィーダ２２２が設けられている。スクリューフィーダ２２２は、回転軸２４１と、回転軸２４１に設けられたスクリュー部２４２と、回転軸２４１を回転させるモータ２４３とを有している。回転軸２４１は、貯留容器２２１の軸方向と同方向となっている。そして、モータ２４３により回転軸２４１を回転させると、スクリュー部２４２が旋回しながら、褐炭を貯留容器２２１の他端側へ向けて移動させる。つまり、褐炭は、その流動方向が、貯留容器２２１の一端側から他端側へ向かう方向となっている。
【００７８】
また、流動層乾燥装置２２０には、パージ媒体供給部２５０が設けられている。パージ媒体供給部２５０は、貯留容器２２１の内部へパージ蒸気を噴出する噴出孔２５１を複数有している。複数の噴出孔２５１は、貯留容器２２１の内外を貫通して形成されており、パージ蒸気が供給されることで、各噴出孔２５１からパージ蒸気を噴出する。複数の噴出孔２５１は、褐炭の流動方向に沿って、所定の間隔を空けて設けられている。実施例３では、例えば、噴出孔２５１は２つ設けられており、一方の噴出孔２５１は、褐炭の流動方向における中央に設けられ、他方の噴出孔２５１は、褐炭の流動方向における下流側に設けられている。
【００７９】
従って、給炭装置１１１から供給された褐炭は、貯留容器２２１の一端側に投入され、投入された褐炭は、スクリューフィーダ２２２により流動方向に移動する。流動方向に移動する褐炭は、貯留容器２２１を介して加熱ガス流路２２６により加熱される。これにより、加熱された褐炭は、所定の予熱温度まで予熱される。また、流動方向に移動する褐炭は、各噴出孔２５１から噴出されたパージ蒸気により褐炭を流動させながら、褐炭と共に混入した空気等の非凝縮性ガスをガス排出口４０から追い出すことで、非凝縮性ガスを除去する。なお、乾燥容器７で発生した水蒸気の一部も、連通管２２５を介してパージ蒸気として貯留容器２２１に流入する。そして、流動方向に移動する褐炭は、連通管２２５から、乾燥容器７の上流側の乾燥室１２ａへ向けて投入される。
【００８０】
以上のように、実施例３の構成においても、乾燥容器７に褐炭を供給する前に、貯留容器２２１において、加熱ガス流路２２６により褐炭を加熱することができ、また、パージ媒体供給部２５０から供給されたパージ蒸気により褐炭を流動させながら混入する非凝縮性ガスを除去することができる。このため、乾燥容器７には、加熱された褐炭が供給されるため、乾燥容器７の褐炭の供給側（流動方向の上流側）における温度を高くすることができ、これにより、褐炭を凝集し難くすることができる。また、乾燥容器７には、非凝縮性ガスが除去された褐炭が供給されるため、流動層乾燥装置２２０内への非凝縮性ガスの混入を抑制することができる。これにより、流動層乾燥装置２２０から排出される水蒸気を利用する場合は、非凝縮性ガスの混入を抑制できる分、水蒸気の潜熱を効率よく回収することができる。
【００８１】
なお、実施例１ないし実施例３の構成では、貯留容器６と乾燥容器７とを連通させて接続したが、この構成に限らない。乾燥容器７から発生した水蒸気の一部が貯留容器６に流入する構成であれば、貯留容器６と乾燥容器７との間に、貯留容器６から乾燥容器７へ褐炭を供給可能なロータリーフィーダを設けてもよい。
【符号の説明】
【００８２】
１  流動層乾燥装置
３  流動層
５  乾燥炉
６  貯留容器
７  乾燥容器
８  ガス分散板
１１  風室
１２  乾燥室
３１  褐炭投入口
３４  乾燥炭排出口
３５  蒸気排出口
３９  褐炭供給口
４０  ガス排出口
４１  加熱管
４２  パージ媒体供給部
４５  パージ管
４６  噴出孔
２００  流動層乾燥装置（実施例２）
２０１  貯蔵容器
２０５  メッシュ部材
２１０  パージ用風室
２１１  噴出孔
２１２  貫通孔
２２０  流動層乾燥装置（実施例３）
２２１  貯留容器
２２２  スクリューフィーダ
２２５  連通管
２２６  加熱ガス流路
２３１  加熱ガス流入口
２３２  加熱ガス流出口
２３７  褐炭供給口
２３８  ガス排出口
２４１  回転軸
２４２  スクリュー部
２４３  モータ
２５０  パージ媒体供給部
２５１  噴出孔
Ｆ  フリーボード部
【図１】
0005931505.tif 000002
【図２】
0005931505.tif 000003
【図３】
0005931505.tif 000004
【図４】
0005931505.tif 000005
【図５】
0005931505.tif 000006
【図６】
0005931505.tif 000007
【図７】
0005931505.tif 000008
【図８】
0005931505.tif 000009
【図９】
0005931505.tif 000010